(57)【要約】【課題】無線リンク制御ステータスのレポーティング。【解決手段】さまざまな通信システムは、強化された無線リンク制御ステータスレポートの恩恵を受けることができる。本願方法は、否定応答シーケンス番号範囲を決定するステップを含むことができる。否定応答シーケンス番号範囲は、複数の連続無線リンク制御欠落シーケンス番号を含むことができる。この方法は、また、複数の連続無線リンク制御欠落シーケンス番号が、否定応答シーケンス番号範囲を超えるとき、否定応答終了シーケンス番号の少なくとも１つを決定するステップを含むことができる。加えて、この方法は、前記複数の連続無線リンク制御欠落シーケンス番号が前記少なくとも１つの否定応答シーケンス番号範囲を超えるとき、否定応答シーケンス番号、否定応答シーケンス番号範囲、または、前記否定応答終了シーケンス番号のうちの少なくとも１つを含む無線リンク制御ステータスレポートを送信するステップを含むことができる。【選択図】図１
2020520150.tif 000002
【特許請求の範囲】
【請求項１】
少なくとも１つのプロセッサと、コンピュータプログラムコードを含む少なくとも１つのメモリとを備える装置であって、該少なくとも１つのメモリと該コンピュータプログラムコードとは、前記少なくとも１つのプロセッサを用いて、前記装置に、少なくとも、シーケンス番号を持つサービスデータユニットの少なくとも１つのセグメントを受信させ、ギャップが作成されたら、タイマーを開始させるように構成され、該ギャップは、まだ受信されていないプロトコルデータユニット、フルサービスデータユニット、サービスデータユニットセグメントまたはサービスデータユニットセグメントのプロトコルデータユニットのうちの少なくとも１つによって作成される、装置。
【請求項２】
前記サービスデータユニットは、少なくとも１つの他のセグメントを含む、請求項１に記載の装置。
【請求項３】
前記少なくとも１つのメモリと、前記コンピュータ・プログラム・コードとは、前記少なくとも１つのプロセッサで、前記装置に、少なくとも、前記サービスデータユニットの前記少なくとも１つの他のセグメントがまだ受信されていないときに、無線リンク制御ステータスレポートにセグメントオフセットを含めることを決定させるように構成された請求項２に記載の装置。
【請求項４】
前記タイマーが開始されるとき、前記シーケンス番号と前記セグメントオフセットは、それぞれ、肯定応答シーケンス番号と前記セグメントオフセットとして前記ステータスレポートにおいて使用するために記録される、請求項３に記載の装置。
【請求項５】
前記少なくとも１つのメモリと、前記コンピュータ・プログラム・コードとは、前記少なくとも１つのプロセッサを用いて、前記装置に、少なくとも、無線リンク制御ステータスレポートを送信させるように構成された請求項１から４のいずれか１項に記載の装置。
【請求項６】
前記無線リンク制御ステータスレポートは、前記受信された少なくとも１つのセグメントが前記サービスデータユニットの中央に位置するとき、前記受信された少なくとも１つのセグメントを示すセグメントオフセット開始およびセグメントオフセット終了を含む、請求項５に記載の装置。
【請求項７】
シーケンス番号を持つサービスデータユニットの少なくとも１つのセグメントを受信するステップと、ギャップが作成されたときにタイマーを開始するステップであって、該ギャップは、まだ受信されていないプロトコルデータユニット、フルサービスデータユニット、サービスデータユニットセグメントまたはサービスデータユニットセグメントのプロトコルデータユニットのうちの少なくとも１つによって作成される、ステップと、を含む方法。
【請求項８】
前記サービスデータユニットの少なくとも１つの他のセグメントが、まだ受信されていないときに、無線リンク制御ステータスレポートにセグメントオフセットを含めることを決定するステップをさらに含む、請求項７に記載の方法。
【請求項９】
少なくとも１つのプロセッサと、コンピュータプログラムコードを含む少なくとも１つのメモリとを備える装置であって、該少なくとも１つのメモリと該コンピュータプログラムコードは、前記少なくとも１つのプロセッサで、前記装置に、少なくとも、否定応答シーケンス番号範囲を決定し、ここで、該否定応答シーケンス番号範囲は、複数の連続無線リンク制御欠落シーケンス番号を含み、前記複数の連続無線リンク制御欠落シーケンス番号が、前記否定応答シーケンス番号範囲を超える場合、少なくとも１つの否定応答終了シーケンス番号を決定させ、無線リンク制御ステータスレポートを送信させるように構成され、ここで、前記無線リンク制御ステータスレポートは、否定応答シーケンス番号、前記否定応答シーケンス番号範囲、および、少なくとも１つの否定応答終了シーケンス番号のうちの少なくとも１つを含む、装置。
【請求項１０】
前記少なくとも１つの否定応答終了シーケンス番号は、前記否定応答シーケンス番号範囲を超えたとき、前記ステータスレポートの前記否定応答シーケンス番号範囲の後に続く、請求項９に記載の装置。
【請求項１１】
前記否定応答シーケンス番号は、否定応答開始シーケンス番号を示す、請求項９または請求項１０に記載の装置。
【請求項１２】
前記少なくとも１つの否定応答終了シーケンス番号は、前記否定応答シーケンス番号範囲を超えたとき、前記否定応答シーケンス番号範囲の終了値を示す、請求項９ないし１１のいずれか１項に記載の装置。
【請求項１３】
否定応答シーケンス番号範囲を決定するステップであって、該否定応答シーケンス番号範囲は、複数の連続無線リンク制御欠落シーケンス番号を含む、ステップと、複数の連続無線リンク制御欠落シーケンス番号が、前記否定応答シーケンス番号範囲を超える場合、少なくとも１つの否定応答終了シーケンス番号を決定するステップと、無線リンク制御ステータスレポートを送信するステップであって、該無線リンク制御ステータスレポートは、否定応答シーケンス番号、前記否定応答シーケンス番号範囲、または、前記少なくとも１つの否定応答終了シーケンス番号のうちの少なくとも１つを含む、ステップとを含む方法。
【請求項１４】
前記少なくとも１つの否定応答終了シーケンス番号は、前記否定応答シーケンス番号の範囲を超えたとき、前記ステータスレポートの前記否定応答シーケンス番号範囲の後に続く、請求項１３に記載の方法。
【請求項１５】
前記否定応答シーケンス番号は、否定応答開始シーケンス番号を示す、請求項１３または請求項１４に記載の方法。
【請求項１６】
前記少なくとも１つの否定応答終了シーケンス番号は、前記否定応答シーケンス番号の範囲を超えたとき、前記否定応答シーケンス番号範囲の終了値を示す、請求項１３から１５のいずれか一項に記載の方法。
【請求項１７】
少なくとも１つのプロセッサと、コンピュータプログラムコードを含む少なくとも１つのメモリとを備える装置であって、該少なくとも１つのメモリと該コンピュータプログラムコードは、前記少なくとも１つのプロセッサを用いて、前記装置に、少なくとも、セグメント化されたサービスデータユニットを送信させ、ここで、該セグメント化されたサービスデータユニットは、無線リンク制御シーケンス番号を備え、無線リンク制御ステータスレポートを受信させるように構成され、複数の連続無線リンク制御欠落シーケンス番号が、前記少なくとも１つの否定応答シーケンス番号範囲を超えるとき、前記無線リンク制御ステータスレポートは、否定応答シーケンス番号、否定応答シーケンス番号範囲、または、否定応答の終了シーケンス番号のうちの少なくとも１つを含む、装置。
【請求項１８】
前記否定応答シーケンス番号の範囲を超えたとき、前記否定応答終了シーケンス番号は、前記無線リンク制御ステータスレポートにおける前記否定応答シーケンス番号範囲にしたがう、請求項１７に記載の装置。
【請求項１９】
前記否定応答シーケンス番号範囲を超えたとき、前記否定応答終了シーケンス番号は、前記否定応答シーケンス番号範囲の終了値を示す、請求項１７または請求項１８に記載の装置。
【請求項２０】
セグメント化されたサービスデータユニットを送信するステップであって、該セグメント化されたサービスデータユニットは、無線リンク制御シーケンス番号を備える、ステップと、無線リンク制御ステータスレポートを受信するステップであって、複数の連続無線リンク制御欠落シーケンス番号が、前記少なくとも１つの否定応答シーケンス番号範囲を超えるとき、該無線リンク制御ステータスレポートは、否定応答シーケンス番号、否定応答シーケンス番号範囲、および、否定応答終了シーケンス番号のうちの少なくとも１つを含む、ステップとを含む方法。
【請求項２１】
前記否定応答シーケンス番号範囲を超えた場合、前記否定応答終了シーケンス番号は、前記無線リンク制御ステータスレポートにおける前記否定応答シーケンス番号範囲にしたがう、請求項２０に記載の方法。
【請求項２２】
前記否定応答シーケンス番号範囲を超えた場合、前記否定応答終了シーケンス番号は、前記否定応答シーケンス番号範囲の終了値を示す、請求項２０または請求項２１に記載の方法。
【請求項２３】
少なくとも１つのプロセッサと、コンピュータプログラムコードを含む少なくとも１つのメモリと  を備える装置。該少なくとも１つのメモリと該コンピュータプログラムコードは、前記少なくとも１つのプロセッサを用いて、前記装置に、少なくとも、シーケンス番号を持つサービスデータユニットの少なくとも１つのセグメントを受信させ、ここで、前記サービスデータユニットは、少なくとも１つの他のセグメントを含み、前記サービスデータユニットの前記少なくとも１つの他のセグメントがまだ受信されていないときに、無線リンク制御ステータスレポートにセグメントオフセットを含めることを決定させるように構成される、装置。
【請求項２４】
前記少なくとも１つのメモリと前記コンピュータプログラムコードは、前記少なくとも１つのプロセッサで、前記装置に、少なくとも、無線リンク制御ステータスレポートを送信させるように構成され、該無線リンク制御ステータスレポートは、前記シーケンス番号の承認、および、前記サービスデータユニットの前記少なくとも１つの他のセグメントがまだ受信されていないときに、前記セグメントオフセットのうちの少なくとも１つを含む、請求項２３に記載の装置。
【請求項２５】
該少なくとも１つのメモリと該コンピュータプログラムコードは、少なくとも１つのプロセッサで、装置に、少なくとも、前記無線リンク制御ステータスレポートを送信させるように構成され、前記無線リンク制御ステータスレポートは、前記受信した少なくとも１つのセグメントが前記サービスデータユニットの中央に位置するとき、前記受信した少なくとも１つのセグメントを示すために、セグメントオフセット開始およびセグメントオフセット終了を含む、請求項２３に記載の装置。
【請求項２６】
次に予想されるパケットデータユニットは、セグメントである、請求項２３ないし２５のいずれか１項に記載の装置。
【請求項２７】
まだ受信されていないプロトコルデータユニット、フルサービスデータユニット、および、サービスデータユニットセグメントのプロトコルデータユニットのうちの少なくとも１つによってギャップが作成されるとき、タイマーが開始される、請求項２３ないし２６のいずれか１項に記載の装置。
【請求項２８】
タイマーが開始されるとき、肯定応答シーケンス番号と前記セグメントオフセットとして、それぞれ、前記ステータスレポートにおいて使用されるように前記シーケンス番号および前記セグメントオフセットは記録される、請求項２７に記載の装置。
【請求項２９】
前記セグメントオフセットは、セグメントの終了バイトまたはまだ受信されていない次のバイトを示す、請求項２８に記載の装置。
【請求項３０】
前記受信された少なくとも１つのセグメントは、前記サービスデータユニットの最後のセグメントを含む、請求項２３に記載の装置。
【請求項３１】
前記受信した少なくとも１つのセグメントが前記サービスデータユニットの最初のセグメントを含むときに、前記セグメントオフセットは、前記サービスデータユニットの前記受信した少なくとも１つのセグメントの終了バイトを示す、請求項２３に記載の装置。
【請求項３２】
シーケンス番号を持つサービスデータユニットの少なくとも１つのセグメントを受信するステップであって、該サービスデータユニットは少なくとも１つの他のセグメントを含む、ステップと、前記サービスデータユニットの前記少なくとも１つの他のセグメントがまだ受信されていないとき、無線リンク制御ステータスレポートにセグメントオフセットを含めることを決定するステップとを含む方法。
【請求項３３】
少なくとも１つのプロセッサと、コンピュータプログラムコードを含む少なくとも１つのメモリと  を備える装置であって、該少なくとも１つのメモリと該コンピュータプログラムコードは、前記少なくとも１つのプロセッサを用いて、前記装置に、少なくとも、シーケンス番号を持つサービスデータユニットの少なくとも１つのセグメントを送信させ、ここで、該サービスデータユニットは、少なくとも１つの他のセグメントを含み、無線リンク制御ステータスレポートを受信させるように構成され、前記無線リンク制御ステータスレポートは、前記サービスデータユニットの前記少なくとも１つの他のセグメントがまだ送信されていないとき、前記シーケンス番号の承認、および、セグメントオフセットのうちの少なくとも１つを含む、装置。
【請求項３４】
前記無線リンク制御ステータスレポートは、前記送信された少なくとも１つのセグメントが前記サービスデータユニットの中央に位置するとき、前記送信された少なくとも１つのセグメントを示すセグメントオフセット開始とセグメントオフセット終了を含んでいる、請求項３３に記載の装置。
【請求項３５】
前記送信された少なくとも１つのセグメントは、前記サービスデータユニットの最後のセグメントを含む、請求項３３に記載の装置。
【請求項３６】
前記送信された少なくとも１つのセグメントが前記サービスデータユニットの最初のセグメントを含むとき、前記セグメントオフセットは、前記サービスデータユニットの前記送信された少なくとも１つのセグメントの終了バイトを示す、請求項３３に記載の装置。
【請求項３７】
シーケンス番号を持つサービスデータユニットの少なくとも１つのセグメントを送信するステップであって、該サービスデータユニットは、少なくとも１つの他のセグメントを含む、ステップと、無線リンク制御ステータスレポートを受信するステップであって、無線リンク制御ステータスレポートは、シーケンス番号の肯定応答、または、サービスデータユニットの少なくとも１つの他のセグメントがまだ送信されていないとき、セグメントオフセットのうちの少なくとも１つを含む、ステップとを含む方法。
【請求項３８】
シーケンス番号を持つサービスデータユニットの少なくとも１つのセグメントを受信する手段と、ギャップが作成されたときにタイマーを開始する手段であって、該ギャップは、まだ受信されていないプロトコルデータユニット、フルサービスデータユニット、サービス・データユニットセグメントのプロトコル・データ・ユニット、および、サービス・データユニットセグメントのうちの少なくとも１つによって作成される、手段とを備える装置。
【請求項３９】
否定応答シーケンス番号範囲を決定する手段であって、該否定応答シーケンス番号範囲は、複数の連続無線リンク制御欠落シーケンス番号を含む、手段と、前記複数の連続無線リンク制御欠落シーケンス番号が前記否定応答シーケンス番号範囲を超えるとき、少なくとも１つの否定応答終了シーケンス番号を決定する手段と、無線リンク制御ステータスレポートを送信する手段であって、該無線リンク制御ステータスレポートは、否定応答シーケンス番号、前記否定応答シーケンス番号範囲、または、少なくとも１つの否定応答終了シーケンス番号のうちの少なくとも１つを含む、手段と、を備える装置。
【請求項４０】
セグメント化されたサービスデータユニットを送信する手段であって、該セグメント化されたサービスデータユニットは、無線リンク制御シーケンス番号を含む、手段と、無線リンク制御ステータスレポートを受信する手段であって、該無線リンク制御ステータスレポートは、複数の連続無線リンク制御欠落シーケンス番号が、前記少なくとも１つの否定応答シーケンス番号範囲を超えるとき、否定応答シーケンス番号、否定応答シーケンス番号範囲、または、否定応答終了シーケンス番号のうちの少なくとも１つを含む、手段とを備える装置。
【請求項４１】
シーケンス番号を持つサービスデータユニットの少なくとも１つのセグメントを受信する手段であって、該サービスデータユニットは、少なくとも１つの他のセグメントを含む、手段と、前記サービスデータユニットの前記少なくとも１つの他のセグメントがまだ受信されていないとき、無線リンク制御ステータスレポートにセグメントオフセットを含めることを決定する手段とを備える装置。
【請求項４２】
シーケンス番号を持つサービスデータユニットの少なくとも１つのセグメントを送信する手段であって、該サービスデータユニットは、少なくとも１つの他のセグメントを含む、手段と、無線リンク制御ステータスレポートを受信する手段であって、前記無線リンク制御ステータスレポートは、シーケンス番号の肯定応答、または、サービスデータユニットの少なくとも１つの他のセグメントがまだ送信されていないとき、セグメントオフセットのうちの少なくとも１つを含む、手段とを備える装置。
【請求項４３】
請求項７ないし８のいずれか１項に記載の方法を実行する手段、または、請求項１３ないし１６のいずれか１項に記載の方法を実行する手段、または、請求項２０ないし２２のいずれか１項に記載の方法を実行する手段、または、請求項３２に記載の方法を実行する手段、または、請求項３７に記載の方法を実行する手段を備える装置。
【請求項４４】
装置に、少なくとも、シーケンス番号を持つサービスデータユニットの少なくとも１つのセグメントを受信するステップと、ギャップが作成されたときにタイマーを開始するステップとを実行させるための命令を含むコンピュータープログラムであって、前記ギャップは、まだ受信されていないプロトコルデータユニット、フルサービスデータユニット、サービス・データユニット・セグメントのプロトコルデータユニット、または、サービス・データユニット・セグメントのうちの少なくとも１つによって作成される、コンピュータープログラム。
【請求項４５】
装置に、少なくとも、否定応答シーケンス番号範囲を決定するステップであって、該否定応答シーケンス番号範囲は、複数の連続無線リンク制御欠落シーケンス番号を含む、ステップと、複数の連続無線リンク制御欠落シーケンス番号が、前記否定応答シーケンス番号範囲を超える場合、少なくとも１つの否定応答終了シーケンス番号を決定するステップと、無線リンク制御ステータスレポートを送信するステップであって、無線リンク制御ステータスレポートは、否定応答シーケンス番号、前記否定応答シーケンス番号範囲、または、前記少なくとも１つの否定応答終了シーケンス番号のうちの少なくとも１つを含む、ステップとを実行させるための命令を含むコンピュータープログラム。
【請求項４６】
装置に、少なくとも、セグメント化されたサービスデータユニットを送信するステップであって、該セグメント化されたサービスデータユニットは、無線リンク制御シーケンス番号を備える、ステップと、無線リンク制御ステータスレポートを受信するステップであって、該無線リンク制御ステータスレポートは、複数の連続無線リンク制御欠落シーケンス番号が、前記少なくとも１つの否定応答シーケンス番号範囲を超えるとき、否定応答シーケンス番号、否定応答シーケンス番号範囲、または、否定応答終了シーケンス番号のうちの少なくとも１つを含む、ステップとを実行させるための命令を含むコンピュータープログラム。
【請求項４７】
装置に少なくとも、シーケンス番号を持つサービスデータユニットの少なくとも１つのセグメントを受信するステップであって、前記サービスデータユニットが少なくとも１つの他のセグメントを含む、ステップと、前記サービスデータユニットの前記少なくとも１つの他のセグメントがまだ受信されていないとき、無線リンク制御ステータスレポートにセグメントオフセットを含めることを決定するステップとを実行させるための命令を含むコンピュータープログラム。
【請求項４８】
装置に、少なくとも、シーケンス番号を持つサービスデータユニットの少なくとも１つのセグメントを送信するステップであって、該サービスデータユニットは、少なくとも１つの他のセグメントを含む、ステップと、無線リンク制御ステータスレポートを受信するステップであって、該無線リンク制御ステータスレポートは、シーケンス番号の肯定応答、または、サービスデータユニットの少なくとも１つの他のセグメントがまだ送信されていないとき、セグメントオフセットのうちの少なくとも１つを含む、ステップとを実行させるための命令を含むコンピュータープログラム。
【発明の詳細な説明】
【技術分野】
【０００１】
さまざまな通信システムが、拡張無線リンク制御ステータスレポートから利益を得ることができる。例えば、新しい無線技術をよりよく管理するために、無線リンク制御ステータスレポートの内容を改善すると役立つことができる。
【背景技術】
【０００２】
５ＧＮＲ（Ｆｉｆｔｈ  Ｇｅｎｅｒａｔｉｏｎ  Ｎｅｗ  Ｒａｄｉｏ：第５世代新規無線）テクノロジーなど、最近の第３世代パートナーシッププロジェクト（３ＧＰＰ）テクノロジーは、ＮＲユーザープレーン（ＵＰ）に注目している。
【発明の概要】
【０００３】
ＬＴＥ（Ｌｏｎｇ  Ｔｅｒｍ  Ｅｖｏｌｕｔｉｏｎ）またはＬＴＥ−  Ａ（ＬＴＥ−  Ａｄｖａｎｃｅｄ）では、ユーザープレーンは、パケットデータ収束プロトコル（ＰＤＣＰ）、無線リンク制御（ＲＬＣ）、および、媒体アクセス制御（ＭＡＣ）の３つのレイヤーを含んでいた。上記の３つのレイヤーに加えて、ＮＲは、新しいサービス品質（ＱｏＳ）フレームワークの促進に役立つ、ＮＲ  ＰＤＣＰの上に配置されたサービスデータアダプテーションプロトコル（ＳＤＡＰ）も可能にする。このＳＤＡＰは、ＱｏＳフローとデータ無線ベアラーとの間のマッピングも実行することができ、ダウンリンクパケットとアップリンクパケットの両方でＱｏＳフローＩＤをマークする。
【０００４】
ＮＲ  ＲＬＣレイヤーにおいて、セグメントオフセット（ＳＯ）ベースのセグメンテーションは、初期セグメンテーションおよび／または再セグメンテーションに使用できる。ＮＲの同じサービスデータユニット（ＳＤＵ）のセグメントは、したがって、同じＲＬＣシーケンス番号（ＳＮ）に関連付けられる。一方、ＬＴＥでは、初期セグメンテーションに基づいたフレーミング情報を含み、異なるＳＮが、ＳＤＵセグメントに割り当てられる。
【０００５】
ＬＴＥ  ＲＬＣとは異なり、ＮＲ  ＲＬＣレイヤーは、ＲＬＣ  ＳＤＵの連結をサポートしていない。連結は、２つ以上のＳＤＵを結合するプロセスである。連結がないために、ＭＡＣ層の単一のトランスポートブロックにマッピングされる単一のＲＬＣエンティティまたは論理チャネルから発信される多くのＲＬＣパケットデータユニット（ＰＤＵ）が存在する可能性がある。したがって、１つの失われたトランスポートブロックは、多くのＲＬＣ  ＰＤＵを失うことになる。
【図面の簡単な説明】
【０００６】
本発明を適切に理解するために、添付図面を参照すべきである。ここで、
【図１】図１は、ユーザープレーンアーキテクチャを示している。
【図２】図２は、ＲＬＣセグメンテーションの例を示している。
【図３】図３は、特定の実施形態によるステータスレポートの例を示している。
【図４】図４は、特定の実施形態によるフロー図の例を示している。
【図５】図５は、特定の実施形態によるフロー図の例を示している。
【図６】図６は、特定の実施形態によるフロー図の例を示している。
【図７】図７は、特定の実施形態によるフロー図の例を示している。
【図８】図８は、特定の実施形態によるシステムの例を示している。
【発明を実施するための形態】
【０００７】
ＬＴＥ  ＲＬＣとＮＲ  ＲＬＣの違いを説明するために、ネットワークエンティティとユーザー機器によって送信されるＲＬＣステータスレポートの内容を改善することができる。例えば、ステータスレポートは、否定応答ＳＮ範囲が含むことができ、また、条件付きでセグメントオフセットを含めることもできる。否定応答ＳＮ範囲は、参照ＳＮの後に複数の連続した欠落したＲＬＣ  ＳＮを示すことができ、必要に応じて、欠落したＳＮの数が指定された範囲を超える場合、否定応答ＳＮが終了する。図３で説明されているように、ＮＡＣＫ＿ＳＮエンドの存在は、ＮＡＣＫ＿ＳＮ＿ＲＡＮＧＥのコードポイントによって示すことができる。
【０００８】
図１は、ユーザープレーンネットワークアーキテクチャを示している。特に、図１は、ＳＤＡＰ  １１０、ＰＤＣＰ  １２０、ＲＬＣ  １３０、およびＭＡＣ  １４０を含むＮＲ  ＵＰを示している。図１は、２つの異なる無線ベアラー、ラジオベアラー＃ｘおよびラジオベアラー＃ｙを示している。無線ベアラー＃ｘにはｎ個のＰＤＵがあり、一方、無線ベアラー＃ｙにはｍ個のＰＤＵがある。ＰＤＣＰ１２０サブレイヤーは、ヘッダー圧縮および／または圧縮解除、リオーダリング、ユーザーデータの転送、暗号化および／または解読を実行することができる。時間ベースのＳＤＵ廃棄も同様である。二重接続を含む実施形態では、ＰＤＣＰは、関連リンクへのＰＤＣＰ  ＰＤＵルーティングも実行できる。上記のＰＤＣＰの機能の少なくとも一部は、ＰＤＣＰ  ＰＤＵのＰＤＣＰヘッダーにあるＰＤＣＰ  ＳＮに依存している。
【０００９】
ＰＤＣＰサブレイヤー１２０の下には、ＲＬＣサブレイヤー１３０がある。ＲＬＣサブレイヤ１３０は、上位層ＰＤＵの転送を容易にし、肯定応答モード（ＡＭ）データ転送のための自動再送要求（ＡＲＱ）を通じてエラー訂正を実行するのに役立ち得る。ＲＬＣサブレイヤー１３０は、また、非確認モード（ＵＭ）およびＡＭデータ転送のためにセグメント化および再セグメント化、ＲＬＣ  ＳＤＵの再組み立て、ＵＭおよびＡＭデータ転送の重複検出、ＡＭデータ転送のプロトコルエラー検出を実行することができる。特定の実施形態では、ＲＬＣサブレイヤ１３０によって実行されるこれらの機能は、すべてのＲＬＣＰＤＵのＲＬＣヘッダから導出されたＲＬＣＳＮに依存するか、またはそれに基づくことができる。
【００１０】
ＰＤＣＰサブレイヤー１２０およびＲＬＣサブレイヤー１３０の下には、ＭＡＣサブレイヤー１４０がある。ＭＡＣサブレイヤー１４０には、論理チャネルとトランスポートチャネル間のマッピング、トランスポートチャネルの物理層との間で配信される１つ以上の異なる論理チャネルに属するＭＡＣ  ＳＤＵの多重化／逆多重化が含まれる。ＭＡＣサブレイヤー１４０は、情報報告をスケジュール、ハイブリッドＡＲＱ（ＨＡＲＱ）によるエラー修正、１つのユーザー機器の論理チャネル間の優先処理、動的スケジューリングによるユーザー機器間の優先処理、トランスポート形式の選択、および／または、パディングにも役立つ。
【００１１】
上記のように、新しいＱｏＳフレームワークをサポートするために、ＮＲＡＰテクノロジーのＰＤＣＰサブレイヤー１１０の上にＳＤＡＰ  １１０が追加された。ＳＤＡＰ  １１０は、ＱｏＳフローとデータ無線ベアラとの間のマッピングを容易にするのに役立ち得る。ＳＤＡＰ１１０はまた、ダウンリンクおよびアップリンクパケットの両方でＱｏＳフロー識別のマーキングを容易にするのに役立ち得る。
【００１２】
図２は、ＲＬＣセグメンテーションの例を示している。特に、図２は、ＬＴＥ  ２０１の２つの異なるＲＬＣ  ＳＤＵとＮＲ  ２０２の２つの異なるＲＬＣ  ＳＤＵを比較している。ＬＴＥでは、ＡＭモードのＲＬＣは、ＡＭＤ  ＰＤＵを生成するための連結とセグメント化の両方に対して責任を持つ。図からわかるように、各ＰＤＵには異なるシーケンス番号が割り当てられる。このため、ＬＴＥ  ＲＬＣ  ＳＤＵ  １およびＬＴＥ  ＲＬＣ  ＳＤＵ  ２内の各ＲＬＣデータセグメントは、独自の一意のシーケンス番号を有する。再セグメンテーションは、送信されるＡＭＤ  ＰＤＵが大きすぎてトランスポートブロックに収まらないとき、発生することができる。ＲＬＣは、次に、各セグメントが元のＰＤＵと同じＳＮを使用して、ＡＭＤ  ＰＤＵセグメントを生成することができる。図２に示すように、ＳＮ１は、データセグメント２１１に割り当てることができ、ＳＮ２は、２１２のデータセグメントに割り当てることができ、ＳＮ３は、データセグメント２１３に割り当てることができ、および、ＳＮ４は、データセグメント２１４に割り当てることができる。
【００１３】
一方、ＮＲ  ＲＬＣ  ＳＤＵ  １およびＮＲ  ＲＬＣ  ＳＤＵ  ２の各ＲＬＣデータセグメントは、異なるシーケンス番号に関連付けられていないことがあり得る。図２からわかるように、ＲＬＣデータセグメント２２１と２２２の両方がＳＮ１に関連付けられており、一方、ＲＬＣデータセグメント２２３および２２４はＳＮ２に関連付けられている。加えて、図１に見られるようにＮＲ  ＲＬＣ  ＳＤＵは、ＰＤＵセグメントは、少なくとも、最初のセグメント中間セグメント、または、最後のセグメント・のうちの１つであるかどうかを示すセグメント制御（ＳＣ）フィールドを含むことができる。ＮＲ  ＲＬＣ  ＳＤＵは、必要に応じて、ＳＯオフセットを含むこともできる。ＳＯは、セグメント化された元のＰＤＵ内のセグメントを識別するために使用できる。例えば、新しいＳＤＵの最初のＲＬＣデータセグメントは、データセグメントに関連付けられたＳＯを省略できる。
【００１４】
ＬＴＥに従って、ＡＭ  ＲＬＣエンティティの送信側は、ＲＬＣ  ＳＤＵからＡＭＤ  ＰＤＵを形成する。ＡＭ  ＲＬＣエンティティの送信側は、ＡＭＤ  ＰＤＵが、下位層から通知された特定の送信機会に下位層によって示されたＲＬＣ  ＰＤＵの合計サイズ内に収まるように、ＲＬＣ  ＳＤＵをセグメント化および／または連結できる。言い換えると、下位層がＰＤＵの最大サイズを決定することができる。ＡＭ  ＲＬＣエンティティの送信側は、ＲＬＣ  ＰＤＵの再送信もサポートできる。再送信される特定のＲＬＣ  ＰＤＵが、下位層から通知された特定の送信機会に下位層によって示されるＲＬＣ  ＰＤＵの合計サイズに収まらない場合、ＡＭ  ＲＬＣエンティティは、ＡＭＤ  ＰＤＵセグメントにセグメント化または再セグメント化できる。ＳＤＵが分割されるセグメントの数は制限されないことがあり得る。
【００１５】
ＡＭ  ＲＬＣエンティティの送信側が、上位層から受信したＲＬＣ  ＳＤＵからＡＭＤ  ＰＤＵ、または、再送信されるＲＬＣ  ＰＤＵからのＡＭＤ  ＰＤＵセグメントを形成する場合、送信側は、ＲＬＣ  ＰＤＵに関連するＲＬＣヘッダーを含むことができる。フレーミング情報ベースのセグメンテーションを使用するＬＴＥでは、新しい伝送は、１つ以上のＳＤＵセグメントを含む場合でも、常にＡＭＤ  ＰＤＵであり得る。いくつかの実施形態では、ＲＬＣ状態報告は、ピアＲＬＣエンティティ間で送信され得る。ＲＬＣステータスレポートでは、元のＡＭＤ  ＰＤＵから受信できるセグメントを示すために、否定応答ＳＮのみが、ＳＯフィールドの後に続くことができる。ＲＬＣステータスレポートは、また、肯定応答ＳＮフィールドを含むことができる。これは、ステータスレポートにおいて欠落として示されていない次のＲＬＣ  ＰＤＵのＳＮが受信されなかったことを示すことができる。
【００１６】
ＬＴＥに従って、ギャップが作成されると、ｔ−オーダリング（ｔ−ｏｒｄｅｒｉｎｇ）が開始されることができ、ｔ−リオーダリング（ｔ−ｒｅｏｒｄｅｒｉｎｇ）を開始したＳＮが記録されることができる。ｔ−リオーダリングは、下位層においてＲＬＣ  ＰＤＵの損失を検出するためにＡＭ  ＲＬＣエンティティの受信側により使用できるタイマーであり得る。このギャップは、ＲＬＣセグメントが欠落しているか、まだ受信されていないことによって、引き起こされ得る。ＬＴＥテクノロジーを含む実施形態において、期間１で、ＳＮ１を受信できる。ＶＲ（Ｈ）は、受信したＲＬＣデータＰＤＵの中で最高のＳＮを持つＲＬＣデータＰＤＵのＳＮに続くＳＮの値を保持する状態変数であるが、２に等しいことがあり得る。ＶＲ（Ｒ）は、受信ウィンドウの下端として機能する、最後に順番どおりに完全に受信されたＡＭＤ  ＰＤＵに続くＳＮの値を保持する状態変数であるが。これもまた、２に等しいことがあり得る。加えて、ＶＲ（ＭＳ）は、ステータスレポートが作成されるときに肯定応答ＳＮによって示されることができるＳＮの可能な限り高い値を保持することができるが、同様に、２に等しいことがあり得る。
【００１７】
期間２において、ＳＮ２を受信せずにＳＮ３を受信できる。ＶＲ（Ｈ）は４、ＶＲ（Ｒ）は２、ＶＲ（ＭＳ）は２に等しいことがあり得る。一方、ｔ−リオーダリングが開始されることができ、ＶＲ（Ｘ）は、ｔ−リオーダリングをトリガーしたＲＬＣデータＰＤＵのＳＮに続くＳＮの値を保持し、４に等しいことがあり得る。期間３において、ｔ−リオーダリングの満了時に、ステータスレポートは、４に等しいことがあり得る肯定応答シーケンス番号を示すことができる。一方、否定応答シーケンス番号は、２に等しいことがあり得る。
【００１８】
上記のプロセスは、ＬＴＥで使用できるが、この手順はＮＲにとって問題になる場合がある。ＮＲの場合、ギャップはセグメントによって作成できる。例えば、期間１で、ＳＮ１を受信できるが、セグメンテーション情報ＳＣは、受信した送信物が、完全なＳＤＵを含まないことを示し得る。ＳＣは、受信したＰＤＵが完全なＳＤＵセグメントまたはＳＤＵセグメントを含むかどうか、より正確には、ＳＤＵセグメントが、最初、中間、または最後のＳＤＵセグメントであるかどうかを示すセグメンテーション制御フィールドであり得る。ＶＲ（Ｈ）は２に等しいことがあり得、ＶＲ（Ｒ）は１に等しいことがあり得、および／または、ＶＲ（ＭＳ）は１に等しいことがあり得る。期間２において、ＳＮ２を受信することができるが、ＳＣは、受信した送信物が完全なＳＤＵを含まない可能性があることを示すことがあり得る。一方、ＳＮ１の第２のセグメントが欠落していることがあり得る。この実施形態では、ＶＲ（Ｈ）は３に等しい場合があり、ＶＲ（Ｒ）は１に等しい場合があり、ＶＲ（ＭＳ）は１に等しい場合があり、一方、ｔ−リオーダリングを開始でき、ＶＲ（Ｘ）は２に等しい場合があり得る。これは、ｔ−リオーダリングの開始をトリガーするＳＮに続く、ＳＮであり得る。
【００１９】
期間３において、ｔ−リオーダリングの有効期限が切れると、ステータスＳＮは肯定応答ＳＮが３に等しいこと、否定応答ＳＮは１に等しいことがあり得ること、ＳＯはＸと等しいことがあり得ることを示す。これは、ＳＮ１の第２のセグメントが欠落している可能性があることを示している。Ｘの値は、ＳＮ１の第１のセグメントの受信から推定または導出できる。否定応答ＳＮもまた、２に等しいことがあり得る。一方、ＳＯはＹと等しいことがあり得るが、これは、ＳＮ２の第２のセグメントが欠落していることがあり得ることを示している。Ｙは、ＳＮ２の第１のセグメントの受信から推定または導出される。
【００２０】
ＳＮ３の肯定応答が報告される場合があり、ＳＮ２の第２のセグメントの否定応答も欠落として報告される場合がある。しかしながら、ＳＮ２の第２のセグメントは、ＳＮ２の第１のセグメントの受信時に開始されたｔ−リオーダリングの期間中に、実際にはまだ送信側から送信されていない場合もある。代替的に、第２のセグメントが送信されたばかりであるが、受信側は、ステータスレポートを作成するときに、第２のセグメントを搬送する対応するＨＡＲＱプロセスを考慮しないことがあり得る。
【００２１】
特定の実施形態では、各ＡＭ  ＲＬＣエンティティの受信側は、受信状態変数ＶＲ（Ｒ）、最大許容受信状態変数ＶＲ（ＭＲ）、ｔ−リオーダリング状態変数ＶＲ（Ｘ）、最大状態送信状態変数ＶＲ（ＭＳ）、および／または最も高い受信状態変数ＶＲ（Ｈ）など・さまざまな状態変数を維持できる。さまざまな状態変数については、３ＧＰＰ  ＴＳ  ３６．３２２で説明されている。３ＧＰＰ  ＴＳ  ３６．３２２は、その全体が参照により本明細書に組み込まれる。
【００２２】
ＶＲ（Ｒ）は、最後に順番どおりに完全に受信されたＡＭＤ  ＰＤＵおよび／またはＲＬＣ  ＳＤＵに続くＳＮの値を保持し、また、受信ウィンドウの下端として機能することができる。ＶＲ（Ｒ）は最初にゼロに設定することができ、ＡＭ  ＲＬＣエンティティが、ＶＲ（Ｒ）に等しいＳＮを有するＡＭＤ  ＰＤＵ／ＲＬＣ  ＳＤＵを受信するたびに更新することができる。ＶＲ（ＭＲ）は、ＶＲ（Ｒ）プラスＡＭ＿Ｗｉｎｄｏｗ＿Ｓｉｚｅに等しいことがあり得、受信ウィンドウを超えている可能性のある最初のＡＭＤ  ＰＤＵ／ＲＬＣ  ＳＤＵのＳＮの値を保持することができる。ＶＲ（ＭＲ）は、受信ウィンドウの上端としても機能することができる。ＶＲ（Ｘ）は、ｔ−リオーダリングをトリガーしたＲＬＣデータＰＤＵのＳＮに続くＳＮの値を保持する変数である。一方、ＶＲ（ＭＳ）は、ステータスレポートを作成できるとき、肯定応答ＳＮ（ＡＣＫ＿ＳＮ）で示すことができるＳＮの可能な限り最高の値を有することができる。ＶＲ（ＭＳ）は、最初は、０に設定することができる。ＶＲ（Ｈ）は、受信したＲＬＣデータＰＤＵの中で最高のＳＮを持つＲＬＣデータＰＤＵのＳＮに続くＳＮの値を保持することができる。
【００２３】
特定の実施形態において、ＳＮギャップまたはバイトセグメントギャップなどのギャップが作成されるとき、ｔ−リオーダリングが開始されることができ、ＳＮおよび／またはＳＯが、記録されることができる。これは、次のＰＤＵ／ＳＤＵ  ＳＮ、または、受信され得るＰＤＵ／ＳＤＵのセグメントの次のバイトを示す。次のＰＤＵ／ＳＤＵ  ＳＮ、または受信され得るＰＤＵ／ＳＤＵのセグメントの次のバイトは、ステータスレポートにおいて、欠落としてレポートされないことがあり得る。ギャップは、セグメントまたはＰＤＵ／ＳＤＵ全体のいずれかである。ＮＲテクノロジーでは、ｔ−リオーダリングの代わりに、ｔ−ステータスレポートまたはその他の同等物など、他のタイマーを使用できる。ＮＲ  ＲＬＣでは実際のリオーダリングは実行されないためである。記録されたＳＯは、受信されたセグメントの終了バイト、または、まだ受信されていない次のバイトを示すことができる。
【００２４】
いくつかの実施形態では、ステータスレポートにはＡＣＫ＿ＳＮが含まれる場合がある。加えて、ステータスレポートは、次の未受信および／または欠落として報告されていないものが、ＡＣＫ＿ＳＮのセグメントであり得るとき、ＡＣＫ＿ＳＮのＳＯもオプションで含むことができる。ＳＯは、受信済みセグメントの終了バイト、または、未受信の開始バイト、および／または、ステータスレポートで欠落として報告されない可能性のある未報告セグメントを示すことができる。特定の実施形態では、図３に示すように、ＳＯは、ステータスレポートのＡＣＫ＿ＳＮの後に続くことができる。ＳＯの存在は、割り当てることができる１ビットのフラグまたは異なるＣＰＴ値で示すことができる。特定の他の実施形態では、ＳＯは、常にステータスレポートに存在することができる。
【００２５】
いくつかの実施形態では、ステータスレポートは、ＡＣＫ＿ＳＮの最初のセグメントが受信されたこと、および、ＳＯフィールドは、次に受信されないＰＤＵがセグメントであることを示すために除外され得ることを示すビットを含むことができる。例えば、そのような実施形態は、最初のＡＭＤ  ＰＤＵセグメントが受信された可能性があるが、最初のＡＭＤ  ＰＤＵセグメントの直後のバイトを含むＡＭＤ  ＰＤＵセグメントは、そうではない場合に、適用可能である。
【００２６】
他の実施形態では、２ビットをエンコードして、ＲＬＣステータスレポートのフレーミング情報タイプフィールドを形成できる。これは、ＡＣＫ＿ＳＮが、完全なＳＤＵとして、または、ＳＤＵの最初、中間、最後のセグメントとして報告されるかどうかを示す。フレーミング情報は、ＡＣＫ＿ＳＮの送信の前または後のいずれかに組み合わせることができる。完全なＳＤＵまたは最初のセグメントを含む実施形態では、ＳＯフィールドが後に続くことはない。中間または最後のセグメントを含む実施形態では、ＳＯフィールドが後に続くことができる。中間セグメントを示す他の実施形態では、ＳＯ＿ｓｔａｒｔおよび／またはＳＯ＿ｅｎｄ値の両方を含む別のＳＯフィールドがあり得る。その場合、別個のＮＡＣＫ＿ＳＮは、ＳＤＵの最初または中間のセグメントに対して、要求されないことがあり得る。欠落しているセグメントは、その情報から推測することができるためである。
【００２７】
いくつかの実施形態では、ＲＬＣステータスレポートのＮＡＣＫ＿ＳＮは、同じステータスレポートのＡＣＫ＿ＳＮと等しくなることが許される場合がある。ＮＡＣＫ＿ＳＮは、ＡＣＫ＿ＳＮですでに受信され、ＡＣＫ＿ＳＮに続くＳＯで示される最上位バイトの前に欠落しているセグメントを示す場合がある。特定の実施形態では、ＡＣＫ＿ＳＮのＳＯフィールドは、エンコードされない場合があるが、ＡＣＫ＿ＳＮに等しいＮＡＣＫ＿ＳＮを、ＡＣＫ＿ＳＮの欠落セグメントを報告するために使用することができる。そのような実施形態では、ＡＣＫ＿ＳＮの最初のセグメントが受信されたとき、および／または、ＡＣＫ＿ＳＮの最後のセグメントが受信されたとき、ＮＡＣＫ＿ＳＮはＡＣＫ＿ＳＮに等しいことがあり得る。言い換えると、ＮＲに対するＳＯベースのセグメンテーションにおいて、特定の実施形態は、ＡＣＫ＿ＳＮおよびＮＡＣＫ＿ＳＮと同じＳＮを有することができるが、中間セグメントが欠落し、次の予測セグメントが同じＳＤＵからのものであり得る実施形態に対処するために、異なるＳＯを使用する。
【００２８】
一例では、ＲＬＣ  ＳＤＵ１は、第１のセグメントおよび第２のセグメントを有するＳＮ１にセグメント化することができる。そして、ＲＬＣ  ＳＤＵ２は、第１のセグメントおよび第２のセグメントを有するＳＮ２にセグメント化され得る。ＳＮ２の最初のセグメントを受信できる場合、ＳＮ１の第２のセグメントが欠落している可能性があり、およびｔ−ステータスレポート（ｔ−ｓｔａｔｕｓｒｅｐｏｒｔ）が開始される場合があり、ＳＯがＹに等しいＳＮ２が記録される場合がある。Ｙは、まだ受信されていないＳＮ２の次のセグメントである。いくつかの実施形態では、Ｙは、ＳＮ２の最初のセグメントの受信から差し引かれ得る。ｔ−ステータスレポートの有効期限が切れると、ＡＣＫ＿ＳＮは２に設定され、ＳＯはＹに設定され得る。これは、ＳＮ２の第２のセグメントが、このステータスレポートで欠落しているとレポートされない可能性があることを示す。一方、ＮＡＣＫ＿ＳＮは１に設定でき、ＳＯはＸに設定できる。Ｘは、ＳＮ１の第２のセグメントが欠落している可能性があることを示すことができる。ＡＣＫ＿ＳＮおよびＮＡＣＫ＿ＳＮに基づいて、送信側は、ＳＮは２に等しくなり得、ＳＯはＹに等しくなり得る前に、ＰＤＵのステータスを知ることができる。
【００２９】
特定の実施形態では、ステータスレポートでは、同じＳＮを、ＡＣＫ＿ＳＮおよびＮＡＣＫ＿ＳＮとして適用できる。そのような実施形態では、最初のセグメントまたは中間セグメントが受信されていない間に、ＳＤＵの中間セグメントまたは終了セグメントが受信された可能性がある。いくつかの実施形態では、ステータスレポートタイマーを正しく開始し、レシーバステータスを正しくレポートするために、ＳＮとＳＯの両方を含めるために、ＲＬＣ状態変数の一部を更新する必要がある場合がある。例えば、完全なＲＬＣ  ＳＤＵを受信していないとき、ＶＲ（Ｈ）およびＶＲ（ＭＳ）は、ＳＯを含むことができる。
【００３０】
ＳＮとＳＯの両方を含むことは、ステータスレポートが、１つまたは複数の受信セグメントの受信者ステータスを正しく報告することを可能にすることができる。上記のように、ＳＯベースのセグメントは同じＳＮを持ち得るため、ＳＯなしでＳＮを含むだけでは、ＡＣＫ＿ＳＮには十分でないことがあり得る。ステータスレポートは、まだ、全く送信されていないセグメント、または、ステータスレポートの作成時に、受信ＲＬＣエンティティが追加の送信を考慮しなかった所定の時間後に送信されたセグメントの送信を要求しないことがあり得る。ＳＯベースのセグメンテーションを使用して、ステータスレポートの形式を最適化できる。
【００３１】
ＬＴＥで使用されるステータスレポートは、各ＳＤＵが自身のＮＡＣＫ−ＳＮで欠落していることを示す必要があるため、高いオーバーヘッドを生成する。ＮＲ  ＲＬＣでは、連結を利用せず、このオーバーヘッドの増加により、ネットワークの効率が低下する場合がある。特定の実施形態では、したがって、ＲＬＣステータスレポートは、ＮＡＣＫ＿ＳＮ範囲と、ＮＡＣＫ＿ＳＮ＿ｓｔａｒｔおよび／またはＮＡＣＫ＿ＳＮ＿ｅｎｄの両方を含むことができる。ＳＴＡＴＵＳ  ＰＤＵのＮＡＣＫ＿ＳＮ＿ｒａｎｇｅフィールドの存在は、例えば、各新しいＮＡＣＫ＿ＳＮの開始に先行する拡張ビットによって示すことができる。ステータスレポートは、ステータスＰＤＵと呼ぶことができる。他の実施形態では、ＮＡＣＫ＿ＳＮ＿ｒａｎｇｅフィールドは、新しいＮＡＣＫ＿ＳＮの後に存在することができ、オプションで、すべて０ビットで、ＳＮ否定応答が１つだけであることを示す。例えば、１つのＳＮのみが否定応答され得る場合、０００のビットシーケンスは、各新しいＮＡＣＫ＿ＳＮの後に続くことができる。
【００３２】
示される連続したＮＡＣＫ＿ＳＮの量が、ＮＡＣＫ＿ＳＮ＿ｒａｎｇｅによって与えられたスペースを超え得るとき、ＮＡＣＫ＿ＳＮ＿ｒａｎｇｅ特殊値０００は、ＮＡＣＫ＿ＳＮ＿ｅｎｄの存在を示すために使用できる。これは、ＳＴＡＴＵＳ  ＰＤＵのＮＡＣＫ＿ＳＮ＿ｒａｎｇｅフィールドの存在が拡張ビットによって示されるときに、適用可能である。いくつかの他の実施形態では、ＮＡＣｋ＿ＳＮ＿ｅｎｄフィールドの存在は、ＮＡＣＫ＿ＳＮ＿ｒａｎｇｅの最後の値を介して示すことができる。例えば、ＮＡＣＫ＿ＳＮ＿ｒａｎｇｅの最後の値は、１１１など、Ｉｓのビットシーケンスとして表示されることができる。これは、各ＮＡＣＫ＿ＳＮに続くＳＴＡＴＵＳ  ＰＤＵにＮＡＣＫ＿ＳＮ＿ｒａｎｇｅフィールドが常に存在するときに、適用可能である。
【００３３】
ＮＡＣＫ＿ＳＮ＿ｒａｎｇｅフィールドのサイズは、ネットワークによって構成可能である。いくつかの実施形態では、例えば、ＮＡＣＫ＿ＳＮ＿ｒａｎｇｅフィールドサイズは、設定されたＲＬＣ  ＳＮサイズによって決定されることができ、また、対応するＮＡＣＫ＿ＳＮの最後のビットのバイトは、ステータスレポートで終了するように埋められ得る。上記の実施形態は、バイトアライメントが達成されることを保証することができる。別の実施形態では、コントロールタイプフィールドは、ヘッダーに位置することができ、ステータスレポートで使用されるＮＡＣＫ＿ＳＮ＿ｒａｎｇｅフィールドの長さを指定できる。
【００３４】
図３は、ステータスレポートの例を示している。特に、図３は、ＮＡＣＫ＿ＳＮ＿ｒａｎｇｅフィールドの存在が拡張ビットにより明示的に示すことができない実施形態を示しているが、むしろ、ＮＡＣＫ＿ＳＮ＿ｒａｎｇｅフィールドは、示されたすべてのＮＡＣＫ＿ＳＮの後に続くことができる。ステータスレポートは、ＲＬＣ制御ＰＤＵヘッダーとＳＴＡＴＵＳ  ＰＤＵペイロードを含むことができる。ＲＬＣ制御ＰＤＵヘッダーは、例えば、ＰＤＵがデータまたは制御ＰＤＵであるかどうかを指定するデータまたは制御（Ｄ／Ｃ）フィールドを含むことができる。ＲＬＣ制御ＰＤＵヘッダーは、また、制御ＰＤＵタイプを指定する制御ＰＤＵタイプ（ＣＰＴ）フィールドを含むことができる。ＳＴＡＴＵＳ  ＰＤＵペイロードは、ＲＬＣ制御ＰＤＵヘッダーに続く最初のビットで始まることができる。
【００３５】
図３からわかるように、ＮＡＣＫ＿ＳＮ＿ｒａｎｇｅフィールド３１０は、示されるすべてのＮＡＣＫ＿ＳＮフィールド３２０の後に続くことができる。特定の実施形態では、連続したＮＡＣＫ＿ＳＮは、ＮＡＣＫ＿ＳＮ＿Ｒａｎｇｅで示される最大値を超えない。連続するＮＡＣＫ＿ＳＮが最大値を超える実施形態では、しかしながら、ＮＡＣＫ＿ＳＮ＿ｅｎｄフィールドは、ＮＡＣＫ＿ＳＮ＿ｒａｎｇｅ値「１１１」の後に続くことができる。連続するＮＡＣＫ＿ＳＮが、ＮＡＣＫ＿ＳＮ＿ｒａｎｇｅで示すことができる最大値を超えない実施形態では、ＳＯ＿ｓｔａｒｔおよびＳＯ＿ｅｎｄフィールドは、セットの後に続くことができる。他の実施形態では、連続したＮＡＣＫ＿ＳＮは、ＮＡＣＫ＿ＳＮ＿ｒａｎｇｅで示される最大値を超えており、ＮＡＣＫ＿ＳＮ＿ｅｎｄフィールドは、さらにＮＡＣＫ＿ＳＮ範囲値「１１１」を付け加える。ＳＯ＿ｓｔａｒｔフィールドとＳＯ＿ｅｎｄフィールドは、セットの後に続くことができる。
【００３６】
図３のＥ１ビットは、Ｅビットのセット、ＮＡＣＫ＿ＳＮ、ＮＡＣＫ＿ＳＮ＿ｒａｎｇｅ、ＮＡＣＫ＿ＳＮ＿ｅｎｄ、および／またはＳＯフィールドが、続くことができるか、続くことができないかを示すことができる。Ｅ２ビットは、ＳＯフィールドが対応するＮＡＣＫ＿ＳＮのセット、ＮＡＣＫ＿ＳＮ＿ｒａｎｇｅ、および／または可能なＮＡＣＫ＿ＳＮ＿ｅｎｄの後に続くことができるかどうかを示す。ＳＯフィールドがＮＡＣＫ＿ＳＮ、ＮＡＣＫ＿ＳＮ＿ｒａｎｇｅ、および、可能なＮＡＣＫ＿ＳＮ＿ｅｎｄの対応するのセット、ＮＡＣＫ＿ＳＮ＿ｒａｎｇｅの終了ＳＮに関連するＳＯ＿ｓｔａｒｔフィールド、および／または、ＮＡＣＫ＿ＳＮあるいは他の方法に関連するＳＯ＿ｅｎｄフィールドの後に続くことができることをＥ２が示すとき。ＮＡＣＫ＿ＳＮ＿ｒａｎｇｅの終了ＳＮは、いくつかの例では、ＮＡＣＫ＿ＳＮ＿ｒａｎｇｅ自体またはＮＡＣＫ＿ＳＮ＿ｅｎｄで示すことができる。
【００３７】
いくつかの他の実施形態では、ＳＯ＿ｓｔａｒｔおよびＳＯ＿ｅｎｄがＮＡＣＫ＿ＳＮの後に続くことができるとき、ＮＡＣＫ＿ＳＮ＿ｒａｎｇｅまたはＮＡＣＫ＿ＳＮ＿ｅｎｄを使用できないという制限を指定できる。例えば、Ｅ２が１に設定されているとき、ＳＯ＿ｓｔａｒｔおよびＳＯ＿ｅｎｄは、ＮＡＣＫ＿ＳＮの後に続くことができる。特定の実施形態では、ステータスレポートは、次の未受信および／または未報告のＳＤＵセグメントが欠落しているとき、オプションまたは条件付きでＡＣＫ＿ＳＮのＳＯを含むことができる。図３に示す実施形態では、すべての可能なシナリオにおいて、連続または非連続ＰＤＵが失われたときを含んで、オーバーヘッドを最小限に抑えることができる。
【００３８】
図４は、特定の実施形態によるフロー図の例を示す。特に、図４は、受信ＲＬＣエンティティによって実行される方法を示している。ステップ４１０において、受信エンティティは、否定応答シーケンス番号範囲を決定できる。否定応答シーケンス番号範囲は、複数の連続無線リンク制御欠落シーケンス番号を含むことができる。ステップ４２０において、受信エンティティは、複数の連続無線リンク制御欠落シーケンス番号が、少なくとも１つの否定応答シーケンス番号範囲を超えるとき、否定応答終了シーケンス番号のうちの少なくとも１つを決定することができる。
【００３９】
ステップ４３０において、受信エンティティは、複数の連続無線リンク制御欠落シーケンス番号が否定応答シーケンス番号範囲を超える場合、否定応答シーケンス番号、否定応答シーケンス番号範囲、または、否定応答終了シーケンス番号のうちの少なくとも１つを含む無線リンク制御ステータスレポートを送信できる。否定応答シーケンス番号の範囲を超えるとき、否定応答終了シーケンス番号は、ステータスレポートにおいて、否定応答シーケンス番号範囲の後に続くことができる。否定応答シーケンス番号は、否定応答開始シーケンス番号を示すことができる。否定応答シーケンス番号の範囲を超えるとき、否定応答終了シーケンス番号は、否定応答シーケンス番号範囲の終了値を示すことができる。
【００４０】
図５は、特定の実施形態によるフロー図の例を示している。特に、図５は、送信ＲＬＣエンティティによって実行される方法を示している。ステップ５１０において、送信エンティティは、無線リンク制御シーケンス番号を含むセグメント化されたサービスデータユニットを送信できる。ステップ５２０において、送信エンティティは、複数の連続無線リンク制御欠落シーケンス番号が少なくとも１つの否定応答シーケンス番号を超えるとき、否定応答シーケンス番号、否定応答シーケンス番号範囲、または、否定応答終了シーケンス番号のうちの少なくとも１つを含む無線リンク制御ステータスレポートを受信する。
【００４１】
図６は、特定の実施形態によるフロー図の例を示している。特に、図６は、受信ＲＬＣエンティティによって実行される方法を示している。ステップ６１０いおいて、受信エンティティは、シーケンス番号を持つサービスデータユニットの少なくとも１つのセグメントを受信できる。サービスデータユニットは、少なくとも１つの他のセグメントを含むことができる。ステップ６２０において、受信エンティティは、サービスデータユニットの少なくとも１つの他のセグメントがまだ受信されていない場合、無線リンク制御ステータスレポートにセグメントオフセットを含めることを決定することができる。
【００４２】
ステップ６３０において、受信エンティティは、サービスデータユニットの少なくとも１つの他のセグメントがまだ受信されていない場合、シーケンス番号の肯定応答およびセグメントオフセットのうちの少なくとも１つを含む無線リンク制御ステータスレポートを送信することができる。加えて、受信エンティティは、受信した少なくとも１つのセグメントがサービスデータユニットの中央にあるときに、受信した少なくとも１つのセグメントを示すために、セグメントオフセット開始とセグメントオフセット終了を含む無線リンク制御ステータスレポートも送信できる。受信された少なくとも１つのセグメントは、サービスデータユニットの最後のセグメントであり得る。特定の実施形態では、受信した少なくとも１つのセグメントがサービスデータユニットの最初のセグメントである場合、セグメントオフセットは、受信した少なくとも１つのセグメントの終了バイトを示す。
【００４３】
図７は、特定の実施形態によるフロー図の例を示している。特に、図７は、送信ＲＬＣエンティティによって実行される方法を示している。ステップ７１０において、送信エンティティは、シーケンス番号を持つサービスデータユニットの少なくとも１つのセグメントを送信できる。サービスデータユニットは、少なくとも１つの他のセグメントを備えることができる。ステップ７２０において、送信エンティティは、サービスデータユニットの少なくとも１つの他のセグメントがまだ送信されていない場合、シーケンス番号の肯定応答およびセグメントオフセットのうちの少なくとも１つを含む無線リンク制御ステータスレポートを受信できる。加えて、本方法は、送信された少なくとも１つのセグメントがサービスデータユニットの中央に位置するときに、送信された少なくとも１つのセグメントを示すために、セグメントオフセット開始およびセグメントオフセット終了を含む無線リンク制御ステータスレポートを受信することも含むことができる。
【００４４】
ＮＲでのＲＬＣステータスレポートにＬＴＥ手順を適用すると、送信されていないセグメントまたは送信されたばかりのセグメントのレポートが不正確になる可能性がある。特定の実施形態では、したがって、まだ送信されていない早期報告、または、まだ進行中のセグメントは、回避する必要がある。ＬＴＥの動作を模倣するには、ＬＴＥベースラインの上にある単純な拡張を、受信したＲＬＣデータＰＤＵの中で最高のＳＮとともに最高のＳＯを追跡し続けるために、使用することができる。そのような実施形態では、セグメントまたは完全なＰＤＵのいずれかによってギャップが作成されたときに、ｔ−リオーダリングを開始する必要がある。ステータスレポートのＡＣＫ＿ＳＮフィールドは、ＡＣＫ＿ＳＮの次の未受信セグメントのバイトオフセットを示すことができるＳＯフィールドにオプションで続く必要がある。これは、ステータスレポートにおいて欠落として報告されないことがあり得る。
【００４５】
いくつかの実施形態では、受信ＲＬＣエンティティは、ステータスレポートで使用される受信ＲＬＣデータＰＤＵの中で最高のＳＮとともに最高のＳＯを追跡できる。上記のように、セグメントまたは完全なＰＤＵのいずれかによってギャップが作成されるとき、ｔ−リオーダリングは、開始されることができる。そして、次の予想セグメントのＳＯがステータスレポートに記録されることができる。他の実施形態でにおいて、ＡＣＫ＿ＳＮは、ＡＣＫ＿ＳＮの次の未受信セグメントのバイトオフセットを示すために、ＲＬＣ  ＳＴＡＴＵＳ  ＰＤＵのオプションのＳＯフィールドに続くことができる。これは、ステータスレポートにおいて、欠落として報告されないことがあり得る。
【００４６】
図８は、特定の実施形態によるシステムを示している。図１−７の各信号またはブロックは、ハードウェア、ソフトウェア、ファームウェア、１つまたは複数のプロセッサおよび／または回路など、さまざまな手段またはそれらの組み合わせによって実装できることを理解されたい。一実施形態では、システムは、例えば、ネットワークエンティティ８２０またはユーザー機器（ＵＥ）８１０など複数のデバイスを含むことができる。システムは、複数のＵＥ８１０と複数のＵＥネットワークエンティティ８２０とを含むことができる。ネットワークエンティティ８２０は、基地局、ネットワークノードアクセスポイント、アクセスノードＮＲ  ＮｏｄｅＢ、サーバー、ホスト、または、ＵＥと通信できる他のネットワークコアエンティティであることができる。ネットワークエンティティは、図１に示すユーザープレーン無線プロトコル層を含むことができる。特定の実施形態では、ネットワークエンティティはＲＬＣ送信エンティティであり得る。
【００４７】
これらの各デバイスには、少なくとも１つのプロセッサまたは制御ユニットまたはモジュールを含むことができる。それぞれ、８１１および８２１として示される。少なくとも１つのメモリを、各デバイスに提供でき、それぞれ、８１２および８２２として示される。メモリは、そこに、コンピュータプログラム命令またはコンピュータコードを含むことができる。１つ以上のトランシーバー８１３および８２３が提供されることができ、また、各デバイスにはアンテナも含まれ、それぞれ８１４および８２４として示される。それぞれ１つのアンテナのみが示されているが、多くのアンテナと複数のアンテナ要素を各デバイスに提供できる。例えば、これらのデバイスの他の構成を、提供することができる。例えば、ネットワークエンティティ８２０およびＵＥ８１０は、ワイヤレス通信に加えて、有線通信用にさらに構成することができる。そして、そのような場合、アンテナ８１４および８２４は、単なるアンテナに限定されることなく、通信ハードウェアの任意の形式を示してもよい。
【００４８】
トランシーバー８１３および８２３は、それぞれ、独立して、送信機、受信機、または、送信機と受信機の両方、または、送信と受信の両方に構成できるユニットまたはデバイスであることができる。送信機および／または受信機（無線部分に関する限り）は、デバイス自体に配置されていない（しかし、例えば、支柱に配置された）リモート無線ヘッドとして実装することもできる。操作と機能は、ノード、ホストまたはサーバーなど、柔軟な方法で異なるエンティティにおいて実行できる。言い換えると、労働の分配は、ケースによって多様に異なることがあり得る。考えられる用途の１つは、ネットワークノードにローカルコンテンツを配信させることである。１つ以上の機能は、サーバーで実行できるソフトウェアの仮想アプリケーションとして実装することもできる。
【００４９】
ユーザーデバイスまたはＵＥ  ８１０は、携帯電話、スマートフォン、マルチメディアデバイス、ＩｏＴセルラーデバイスなどのモバイルステーション（ＭＳ）、ワイヤレス通信機能を備えている、タブレットなどのコンピュータ、ワイヤレス通信機能を備えた個人データまたはデジタルアシスタント（ＰＤＡ）、ポータブルメディアプレーヤー、デジタルカメラ、ポケットビデオカメラ、無線通信機能またはその任意の組み合わせを備えたナビゲーションユニットであり得る。他の実施形態では、ユーザー機器は、人間の介入を必要としない機械通信デバイス、センサー、メーター、またはロボットなどに置き換えることができる。特定の実施形態では、ＵＥはＲＬＣ受信エンティティであることできる。
【００５０】
いくつかの実施形態では、ユーザー機器やネットワークエンティティなどの装置は、図１−図７に関連して上述した実施形態を実行する手段を含むことができる。特定の実施形態では、コンピュータプログラムコードを含む少なくとも１つのメモリは、少なくとも１つのプロセッサで、装置に、少なくとも本明細書に記載のプロセスのいずれかを実行させるように構成できる。
【００５１】
プロセッサ８１１および８２１は、中央処理装置（ＣＰＵ）、デジタル信号プロセッサ（ＤＳＰ）、特定用途向け集積回路（ＡＳＩＣ）、プログラマブルロジックデバイス（ＰＬＤ）、フィールドプログラマブルゲートアレイ（ＦＰＧＡ）、デジタル的に強化された回路、または、同等のデバイスまたはそれらの組み合わせなど任意の計算デバイスまたはデータ処理デバイスによって具体化できる。プロセッサは、単一のコントローラまたは複数のコントローラーまたはプロセッサーとして実装できる。
【００５２】
ファームウェアまたはソフトウェアの場合、実装には、少なくとも１つのチップセットのモジュールまたはユニットを含めることができる（たとえば、手順、機能、等々）。メモリ８１２および８２２は、独立して、一時的でないコンピューター読み取り可能な媒体、ハードディスクドライブ（ＨＤＤ）、ランダムアクセスメモリ（ＲＡＭ）、フラッシュメモリーなど任意の適切なストレージデバイスであり得る。または、他の適切なメモリを使用できる。メモリは、プロセッサとして単一の集積回路上で組み合わせることができる、または、それとは別のものでもよい。さらに、コンピュータプログラム命令はメモリに格納されてもよく、プロセッサによって処理されてもよく、コンピュータプログラムコードの任意の適切な形式、例えば、適切なプログラミング言語で書かれた、コンパイルまたは解釈されたコンピュータープログラムであり得る。通常、メモリまたはデータストレージエンティティは内部にあるが、しかし、サービスプロバイダーから追加のメモリ容量を取得する場合など外部またはその組み合わせでもあり得る。メモリは固定または取り外し可能であり得る。
【００５３】
メモリとコンピュータープログラムの命令は、特定のデバイスのプロセッサを使用して、ネットワークエンティティ８２０やＵＥ８１０などのハードウェア装置に、上記のプロセスを実行させるように構成することができる（例えば、図１−７を参照）。したがって、特定の実施形態では、非一時的なコンピューター可読媒体は、コンピューター命令または１つ以上のコンピュータープログラム（追加または更新されたソフトウェアルーチン、アプレットまたはマクロなど）でエンコードすることができ、ハードウェアで実行すると、本明細書で説明されるプロセスの１つなどのプロセスを実行することができる。コンピュータプログラムは、プログラミング言語でコーディングすることができるが、それは、Ｏｂｊｅｃｔｉｖｅ−Ｃ、Ｃ、Ｃ＋＋、ＣＭ、Ｊａｖａ（登録商標）等、高レベルのプログラミング言語、または、機械語またはアセンブラーなど低レベルのプログラミング言語であり得る。代替的に、特定の実施形態は、完全にハードウェアで実行することができる。
【００５４】
上記の実施形態は、ネットワークの機能および／またはネットワーク内のネットワークエンティティの機能、または、ネットワークと通信するユーザー機器を大幅に改善することができる。例えば、上記の実施形態は、連続または非連続ＰＤＵが失われる可能性があるシナリオを含む考えられるすべてのシナリオでのオーバーヘッドを最小化するのに役立つ。いくつかの実施形態は、また、受信エンティティによって受信されたセグメントのステータスレポートを介した正しいレポートを可能にすることができる。ステータスレポートは、まだ送信されていない、または、受信エンティティが追加の送信を考慮に入れなくなった後に受信エンティティによって受信されたセグメントの再送信を要求することはできない。
【００５５】
本明細書を通して説明される特定の実施形態の機能、構造、または、特徴は、１つ以上の実施形態において、任意の適切な方法で組み合わさせることができる。例えば、「特定の実施形態」、「いくつかの実施形態」、「他の実施形態」というフレーズの使用または他の同様の言語は、この仕様全体を通して、実施形態に関連して説明される特定の機能、構造、または、特徴は、本発明の少なくとも１つの実施形態に含まれることができるという事実を指す。したがって、本願明細書を通した、「特定の実施形態では」、「いくつかの実施形態では」、または、他の実施形態のフレーズの出現は、必ずしも同じグループの実施形態を指すとは限らない。「または他の同様の言語、説明されている機能、構造、または、特長は、１つ以上の実施形態において、任意の適切な方法で組み合わせることができる。
【００５６】
当業者は、上述の本発明が異なる順序のステップで、および／または開示されているものとは異なる構成のハードウェア要素を使用して実施され得ることを容易に理解する。したがって、これらの好ましい実施形態に基づいて本発明を説明したが、特定の修正、バリエーション、代替構造が明らかになるが、本発明の趣旨および範囲内にとどまることは当業者には明白である。上記の実施形態は５Ｇ  ＮＲ技術に言及しているが、上記の実施形態は、ＩｏＴテクノロジー、ＬＴＥ、ＬＴＥ−ａｄｖａｎｃｅｄ、および／または、第４世代（４Ｇ）テクノロジーなど、他の３ＧＰＰ技術にも適用することができる。
【００５７】
［部分的用語集］
３ＧＰＰ：第３世代パートナーシッププロジェクト
ＭＡＣ：メディアアクセス制御
ＮＲ：新無線
ＰＤＣＰ：パケットデータ収束プロトコル
ＰＤＵ：プロトコルデータユニット
ＲＬＣ：無線リンク制御
ＳＤＵ：サービスデータユニット
ＴＢＳ：トランスポートブロックサイズ
ＡＭ：肯定応答済みモード
ＣＡ：キャリアアグリゲーション
ＤＣ：デュアル接続
ＨＡＲＱ：ハイブリッドＡＲＱ
ＳＮ：シーケンス番号
ＴＴＩ：送信時間間隔
ＵＭ：未応答確認モード
【００５８】
第１の実施形態によれば、方法には、否定応答シーケンス番号範囲を決定することが含まれることができる。否定応答シーケンス番号範囲は、複数の連続無線リンク制御欠落シーケンス番号を含む。この方法は、複数の連続無線リンク制御欠落シーケンス番号が否定応答シーケンス番号範囲を超える場合、否定応答終了シーケンス番号のうちの少なくとも１つを決定することも含むことができる。加えて、この方法は、複数の連続無線リンク制御欠落シーケンス番号が少なくとも１つの否定応答シーケンス番号範囲を超える場合、否定応答シーケンス番号、否定応答シーケンス番号範囲、または、否定応答終了シーケンス番号のうちの少なくとも１つを含む無線リンク制御ステータスレポートを送信することを含むことができまる。
【００５９】
変形では、否定応答シーケンス番号の範囲を超えた場合、否定応答終了シーケンス番号は、ステータスレポートの否定応答シーケンス番号範囲の後に続くことができる。
【００６０】
別の変形では、否定応答シーケンス番号は、否定応答開始シーケンス番号を示すことができる。
【００６１】
さらなる変形では、否定応答シーケンス番号の範囲を超えた場合、否定応答終了シーケンス番号は、否定応答シーケンス番号範囲の終了値を示すことができる。
【００６２】
第二の実施形態によれば、方法は、無線リンク制御シーケンス番号を含むセグメント化されたサービスデータユニットを送信することを含むことができる。この方法は、複数の連続無線リンク制御欠落シーケンス番号が少なくとも１つの否定応答シーケンス番号範囲を超える場合、否定応答シーケンス番号、否定応答シーケンス番号範囲、または、否定応答終了シーケンス番号のうちの少なくとも１つを含む無線リンク制御ステータスレポートを受信することも含むことができる。
【００６３】
別の変形では、否定応答シーケンス番号の範囲がを超えた場合、否定応答終了シーケンス番号は、ステータスレポートの否定応答シーケンス番号範囲の後に続くことができる。
【００６４】
変形では、否定応答シーケンス番号の範囲を超えた場合、否定応答終了シーケンス番号は、否定応答シーケンス番号範囲の終了値を示すことができる。
【００６５】
第３の実施形態によれば、方法には、シーケンス番号を持つサービスデータユニットの少なくとも１つのセグメントを受信することが含まれる。サービスデータユニットは、少なくとも１つの他のセグメントを含むことができる。この方法は、サービスデータユニットの少なくとも１つの他のセグメントがまだ受信されていないときに、無線リンク制御ステータスレポートにセグメントオフセットを含めることを決定することも含むことができる。加えて、この方法は、サービスデータユニットの少なくとも１つの他のセグメントがまだ受信されていないときに、シーケンス番号の肯定応答およびセグメントオフセットのうちの少なくとも１つを含む無線リンク制御ステータスレポートを送信することを含むことができる。
【００６６】
変形では、次に予想されるパケットデータユニットはセグメントであることができる。
【００６７】
別の変形では、ギャップが作成され、未受信のＰＤＵ、完全なＳＤＵ、または、ＳＤＵセグメントのＰＤＵのうちの少なくとも１つによってギャップが作成されるとき、タイマーは開始されることができる。タイマーが開始されるとき、シーケンス番号とセグメントオフセットは、セグメントの終了バイトまたはまだ受信されていない次のバイトを示し、それぞれ、肯定応答シーケンス番号とセグメントオフセットとしてステータスレポートで使用するために記録されることができる。
【００６８】
変形では、この方法は、受信した少なくとも１つのセグメントがサービスデータユニットの中央に位置するときに、受信した少なくとも１つのセグメントを示すセグメントオフセット開始およびセグメントオフセット終了を含む無線リンク制御ステータスレポートを送信することを含むことができる。
【００６９】
さらなる変形では、受信された少なくとも１つのセグメントは、サービスデータユニットの最後のセグメントであり得る。
【００７０】
別の変形では、受信した少なくとも１つのセグメントがサービスデータユニットの最初のセグメントである場合、セグメントオフセットは、受信した少なくとも１つのセグメントの終了バイトを示す。
【００７１】
第４の実施形態によれば、方法は、シーケンス番号を持つサービスデータユニットの少なくとも１つのセグメントを送信することを含む。ここでサービスデータユニットは、少なくとも１つの他のセグメントを含む。この方法は、サービスデータユニットの少なくとも１つの他のセグメントがまだ送信されていないときに、シーケンス番号の肯定応答およびセグメントオフセットの少なくとも１つを含む無線リンク制御ステータスレポートを受信することも含むことができる。
【００７２】
変形では、この方法は、送信された少なくとも１つのセグメントがサービスデータユニットの中央にあるときに、送信された少なくとも１つのセグメントを示すセグメントオフセット開始およびセグメントオフセット終了を含む無線リンク制御ステータスレポートを受信することを含むことができる。
【００７３】
加えて、変形は、送信された少なくとも１つのセグメントが、サービスデータユニットの最後のセグメントであり得ることを含むことができる。
【００７４】
さらに、変形は、送信された少なくとも１つのセグメントがサービスデータユニットの最初のセグメントである場合、セグメントオフセットは、受信した少なくとも１つのセグメントの終了バイトを示し得ることを含むことができる。
【００７５】
第５の実施形態、第６の実施形態、第７の実施形態、および第８の実施形態によれば、装置は、少なくとも１つのプロセッサと、少なくとも１つのメモリとコンピュータプログラムコードを含むことができる。この少なくとも１つのメモリとコンピュータープログラムコードは、少なくとも１つのプロセッサで、少なくとも第１の実施形態、第２の実施形態、第３の実施形態、または第４の実施形態、および、そのバリアントのいずれかによる方法を装置に実行させるように構成することができる。
【００７６】
第９の実施形態、第１０の実施形態、第１１の実施形態、および、第１２の実施形態によれば、装置は、第１の実施形態、第２の実施形態、第３の実施形態、または、第４の実施形態、および、その変形のいずれかによる方法を実行する手段を含むことができる。
【００７７】
第１３の実施形態、第１４の実施形態、第１５の実施形態、および第１６の実施形態によれば、コンピュータプログラム製品は、第１の実施形態、第２の実施形態、第３の実施形態、または第４の実施形態、および、その変形のいずれかによる方法を含むプロセスを実行するための命令をエンコードすることができる。
【００７８】
第１７の実施形態、第１８の実施形態、第１９の実施形態、および第２０の実施形態によれば、非一時的なコンピューター読み取り可能な媒体は、ハードウェアで実行すると、第１の実施形態、第２の実施形態、第３の実施形態、または、第４の実施形態、および、そのバリアントのいずれかによる方法を含むプロセスを実行する命令をエンコードすることができる。
【００７９】
第２１の実施形態、第２２の実施形態、第２３の実施形態、および、第２４の実施形態によれば、コンピュータプログラムコードは、第１の実施形態、第２の実施形態、第３の実施形態、または、第４の実施形態、および、その変形のいずれかによる方法を実行するための命令を含むことができる。
【図１】
2020520150.tif 000003
【図２】
2020520150.tif 000004
【図３】
2020520150.tif 000005
【図４】
2020520150.tif 000006
【図５】
2020520150.tif 000007
【図６】
2020520150.tif 000008
【図７】
2020520150.tif 000009
【図８】
2020520150.tif 000010
【手続補正書】
【提出日】令和1年12月26日(2019.12.26)
【手続補正１】
【補正対象書類名】特許請求の範囲
【補正対象項目名】全文
【補正方法】変更
【補正の内容】
【特許請求の範囲】
【請求項１】
少なくとも１つのプロセッサと、コンピュータプログラムコードを含む少なくとも１つのメモリとを備える装置であって、
該少なくとも１つのメモリと該コンピュータプログラムコードとは、前記少なくとも１つのプロセッサを用いて、前記装置に、少なくとも、
シーケンス番号を持つサービスデータユニットの少なくとも１つのセグメントを受信させ、
ギャップが作成されたら、タイマーを開始させる
ように構成され、
該ギャップは、まだ受信されていないプロトコルデータユニット、フルサービスデータユニット、サービスデータユニットセグメントまたはサービスデータユニットセグメントのプロトコルデータユニットのうちの少なくとも１つによって作成される、
装置。
【請求項２】
前記サービスデータユニットは、少なくとも１つの他のセグメントを含む、請求項１に記載の装置。
【請求項３】
前記少なくとも１つのメモリと、前記コンピュータプログラムコードとは、前記少なくとも１つのプロセッサで、前記装置に、少なくとも、前記サービスデータユニットの前記少なくとも１つの他のセグメントがまだ受信されていないときに、無線リンク制御ステータスレポートにセグメントオフセットを含めることを決定させるように構成される、請求項２に記載の装置。
【請求項４】
前記タイマーが開始されるとき、前記シーケンス番号と前記セグメントオフセットは、それぞれ、肯定応答シーケンス番号と前記セグメントオフセットとして前記無線リンク制御ステータスレポートにおいて使用するために記録される、請求項３に記載の装置。
【請求項５】
前記少なくとも１つのメモリと、前記コンピュータプログラムコードとは、前記少なくとも１つのプロセッサを用いて、前記装置に、少なくとも、無線リンク制御ステータスレポートを送信させるように構成される、請求項１から４のいずれか１項に記載の装置。
【請求項６】
前記無線リンク制御ステータスレポートは、前記受信された少なくとも１つのセグメントが前記サービスデータユニットの中央に位置するとき、前記受信された少なくとも１つのセグメントを示すセグメントオフセット開始およびセグメントオフセット終了を含む、請求項５に記載の装置。
【請求項７】
シーケンス番号を持つサービスデータユニットの少なくとも１つのセグメントを受信するステップと、
ギャップが作成されたときにタイマーを開始するステップであって、該ギャップは、まだ受信されていないプロトコルデータユニット、フルサービスデータユニット、サービスデータユニットセグメントまたはサービスデータユニットセグメントのプロトコルデータユニットのうちの少なくとも１つによって作成される、ステップと、
を含む方法。
【請求項８】
前記サービスデータユニットの少なくとも１つの他のセグメントが、まだ受信されていないときに、無線リンク制御ステータスレポートにセグメントオフセットを含めることを決定するステップをさらに含む、請求項７に記載の方法。
【請求項９】
少なくとも１つのプロセッサと、コンピュータプログラムコードを含む少なくとも１つのメモリとを備える装置であって、
該少なくとも１つのメモリと該コンピュータプログラムコードは、前記少なくとも１つのプロセッサで、前記装置に、少なくとも、
否定応答シーケンス番号範囲を決定し、ここで、該否定応答シーケンス番号範囲は、複数の連続無線リンク制御欠落シーケンス番号を含み、
前記複数の連続無線リンク制御欠落シーケンス番号が、前記否定応答シーケンス番号範囲を超える場合、少なくとも１つの否定応答終了シーケンス番号を決定させ、
無線リンク制御ステータスレポートを送信させるように構成され、ここで、前記無線リンク制御ステータスレポートは、否定応答シーケンス番号、前記否定応答シーケンス番号範囲、および、少なくとも１つの否定応答終了シーケンス番号のうちの少なくとも１つを含む、
装置。
【請求項１０】
前記少なくとも１つの否定応答終了シーケンス番号は、前記否定応答シーケンス番号範囲を超えたとき、前記無線リンク制御ステータスレポートの前記否定応答シーケンス番号範囲の後に続く、請求項９に記載の装置。
【請求項１１】
前記否定応答シーケンス番号は、否定応答開始シーケンス番号を示す、請求項９または請求項１０に記載の装置。
【請求項１２】
前記少なくとも１つの否定応答終了シーケンス番号は、前記否定応答シーケンス番号範囲を超えたとき、前記否定応答シーケンス番号範囲の終了値を示す、請求項９または請求項１０に記載の装置。
【請求項１３】
否定応答シーケンス番号範囲を決定するステップであって、該否定応答シーケンス番号範囲は、複数の連続無線リンク制御欠落シーケンス番号を含む、ステップと、
前記複数の連続無線リンク制御欠落シーケンス番号が、前記否定応答シーケンス番号範囲を超える場合、少なくとも１つの否定応答終了シーケンス番号を決定するステップと、
無線リンク制御ステータスレポートを送信するステップであって、該無線リンク制御ステータスレポートは、否定応答シーケンス番号、前記否定応答シーケンス番号範囲、および、前記少なくとも１つの否定応答終了シーケンス番号のうちの少なくとも１つを含む、ステップと
を含む方法。
【請求項１４】
前記少なくとも１つの否定応答終了シーケンス番号は、前記否定応答シーケンス番号の範囲を超えたとき、前記無線リンク制御ステータスレポートの前記否定応答シーケンス番号範囲の後に続く、請求項１３に記載の方法。
【請求項１５】
前記否定応答シーケンス番号は、否定応答開始シーケンス番号を示す、請求項１３または請求項１４に記載の方法。
【請求項１６】
前記少なくとも１つの否定応答終了シーケンス番号は、前記否定応答シーケンス番号の範囲を超えたとき、前記否定応答シーケンス番号範囲の終了値を示す、請求項１３または請求項１４に記載の方法。
【請求項１７】
少なくとも１つのプロセッサと、コンピュータプログラムコードを含む少なくとも１つのメモリとを備える装置であって、
該少なくとも１つのメモリと該コンピュータプログラムコードは、前記少なくとも１つのプロセッサを用いて、前記装置に、少なくとも、
セグメント化されたサービスデータユニットを送信させ、ここで、該セグメント化されたサービスデータユニットは、無線リンク制御シーケンス番号を備え、
無線リンク制御ステータスレポートを受信させる
ように構成され、
複数の連続無線リンク制御欠落シーケンス番号が、前記少なくとも１つの否定応答シーケンス番号範囲を超えるとき、前記無線リンク制御ステータスレポートは、否定応答シーケンス番号、否定応答シーケンス番号範囲、および、否定応答終了シーケンス番号のうちの少なくとも１つを含む、装置。
【請求項１８】
少なくとも１つのプロセッサと、コンピュータプログラムコードを含む少なくとも１つのメモリとを備える装置であって、
該少なくとも１つのメモリと該コンピュータプログラムコードは、前記少なくとも１つのプロセッサを用いて、前記装置に、少なくとも、
シーケンス番号を持つサービスデータユニットの少なくとも１つのセグメントを受信させ、ここで、前記サービスデータユニットは、少なくとも１つの他のセグメントを含み、
前記サービスデータユニットの前記少なくとも１つの他のセグメントがまだ受信されていないときに、無線リンク制御ステータスレポートにセグメントオフセットを含めることを決定させる
ように構成される、
装置。
【請求項１９】
前記少なくとも１つのメモリと前記コンピュータプログラムコードは、前記少なくとも１つのプロセッサで、前記装置に、少なくとも、
無線リンク制御ステータスレポートを送信させる
ように構成され、
該無線リンク制御ステータスレポートは、前記シーケンス番号の承認、および、前記サービスデータユニットの前記少なくとも１つの他のセグメントがまだ受信されていないときに、前記セグメントオフセットのうちの少なくとも１つを含む、請求項１８に記載の装置。
【請求項２０】
該少なくとも１つのメモリと該コンピュータプログラムコードは、少なくとも１つのプロセッサで、装置に、少なくとも、前記無線リンク制御ステータスレポートを送信させるように構成され、
前記無線リンク制御ステータスレポートは、前記受信した少なくとも１つのセグメントが前記サービスデータユニットの中央に位置するとき、前記受信した少なくとも１つのセグメントを示すために、セグメントオフセット開始およびセグメントオフセット終了を含む、
請求項１８に記載の装置。
【請求項２１】
次に予想されるパケットデータユニットは、セグメントである、請求項１８ないし２０のいずれか１項に記載の装置。
【請求項２２】
まだ受信されていないプロトコルデータユニット、フルサービスデータユニット、サービスデータユニットセグメントのプロトコルデータユニット、および、サービスデータユニットセグメントのうちの少なくとも１つによってギャップが作成されるとき、タイマーが開始される、請求項１８ないし２０のいずれか１項に記載の装置。
【請求項２３】
タイマーが開始されるとき、肯定応答シーケンス番号と前記セグメントオフセットとして、それぞれ、前記無線リンク制御ステータスレポートにおいて使用されるように前記シーケンス番号および前記セグメントオフセットは記録される、請求項２２に記載の装置。
【請求項２４】
前記セグメントオフセットは、セグメントの終了バイトまたはまだ受信されていない次のバイトを示す、請求項２３に記載の装置。
【請求項２５】
前記受信された少なくとも１つのセグメントは、前記サービスデータユニットの最後のセグメントを含む、請求項１８に記載の装置。
【請求項２６】
前記受信した少なくとも１つのセグメントが前記サービスデータユニットの最初のセグメントを含むときに、前記セグメントオフセットは、前記サービスデータユニットの前記受信した少なくとも１つのセグメントの終了バイトを示す、請求項１８に記載の装置。
【請求項２７】
シーケンス番号を持つサービスデータユニットの少なくとも１つのセグメントを受信するステップであって、該サービスデータユニットは少なくとも１つの他のセグメントを含む、ステップと、
前記サービスデータユニットの前記少なくとも１つの他のセグメントがまだ受信されていないとき、無線リンク制御ステータスレポートにセグメントオフセットを含めることを決定するステップと、
を含む方法。
【請求項２８】
少なくとも１つのプロセッサと、コンピュータプログラムコードを含む少なくとも１つのメモリとを備える装置であって、
該少なくとも１つのメモリと該コンピュータプログラムコードは、前記少なくとも１つのプロセッサを用いて、前記装置に、少なくとも、
シーケンス番号を持つサービスデータユニットの少なくとも１つのセグメントを送信させ、ここで、該サービスデータユニットは、少なくとも１つの他のセグメントを含み、
無線リンク制御ステータスレポートを受信させる
ように構成され、
前記無線リンク制御ステータスレポートは、前記サービスデータユニットの前記少なくとも１つの他のセグメントがまだ送信されていないとき、前記シーケンス番号の承認、および、セグメントオフセットのうちの少なくとも１つを含む、
装置。
【国際調査報告】
2020520150.tif 000011
2020520150.tif 000012
2020520150.tif 000013
2020520150.tif 000014